(57)【要約】【課題】口径の小さな配管に対応したコンパクトなものであり、かつ容易に使用することができる配管遮断装置及びかかる配管遮断装置を用いた配管遮断方法を提供すること。【解決手段】切断手段１２と、遮断手段１４と、密閉手段１６とを備えた、配管内の流れを一時的又は永続的に遮断する配管遮断装置１０及びかかる配管遮断装置１０を用いた配管遮断方法である。【選択図】図１
2018179057.tif 000002
【特許請求の範囲】
【請求項１】
配管を切断する切断手段と、配管切断部に装着される遮断手段と、配管に固定され、前記切断手段による配管の切断及び前記遮断手段の装着を密閉状態で行うことを可能とする密閉手段とを備えた、配管内の流れを一時的又は永続的に遮断する配管遮断装置であって、
前記切断手段は、その先端に設けられた切断部材と、該切断部材を密閉手段入口から挿入して配管まで到達させる切断部材進退機構と、密閉手段に固定するための係止部とを具備し、
前記遮断手段は、その先端に設けられた配管遮断部材と、該配管遮断部材を密閉手段入口から配管まで到達させる遮断部材進退機構と、密閉手段に固定するための係止部とを具備し、
前記密閉手段は、配管を包囲して配管に固定される台座と、該台座と連通して配管側壁に対して垂直に設けられ、前記切断手段及び遮断手段の係止部に対応した係止部を有するボール弁ケースと、該ボール弁ケース内に収容され、前記切断手段の切断部材及び遮断手段の配管遮断部材を挿通可能な貫通口を有するボール弁を具備する
ことを特徴とする配管遮断装置。
【請求項２】
遮断手段は、弁用開口を有する弁ケースと、該弁ケースに収容された弁とを備えたバルブ手段であることを特徴とする請求項１記載の配管遮断装置。
【請求項３】
弁ケースは、遮断手段の進退方向に垂直な面を有する遮断壁を備え、該垂直な面に弁用開口が設けられていることを特徴とする請求項２記載の配管遮断装置。
【請求項４】
切断手段の切断部材は、周縁刃及び穿孔ドリルを具備することを特徴とする請求項１〜３のいずれか記載の配管遮断装置。
【請求項５】
請求項１〜４のいずれか記載の配管遮断装置を用いた配管遮断方法であって、
配管に密閉手段を取り付ける第１工程と、
切断手段により配管の一部を切断する第２工程と、
遮断手段の配管遮断部材を配管切断部に挿入して配管内の流れを遮断する第３工程と、
を有することを特徴とする配管遮断方法。
【請求項６】
第２工程が、切断手段を密閉手段に固定し、ボール弁を開放した状態で、切断部材進退機構により切断部材をボール弁の貫通口を通して配管に到達させて配管を切断した後、切断された配管と共に切断部材を後退させ、切断手段の一部で密閉手段入口を塞ぎ、この状態で、ボール弁を回転させて閉口状態とした後、切断手段を密閉手段から取り除くことを特徴とする請求項５記載の配管遮断方法。
【請求項７】
第３工程が、遮断手段を密閉手段に固定し、遮断手段の一部で密閉手段入口を塞いだ状態でボール弁を開放し、遮断部材進退機構により配管遮断部材を密閉手段のボール弁の貫通口を通して配管切断部に到達させて配置し、配管内の流れを遮断することを特徴とする請求項５又は６記載の配管遮断方法。
【発明の詳細な説明】
【技術分野】
【０００１】
本発明は、配管内の流体の流れを一時的又は永続的に遮断する配管遮断装置、及びかかる配管遮断装置を用いた配管遮断方法に関する。
【背景技術】
【０００２】
従来、建物に既設された配管の補修、管路の変更や、不要になった配管の取外し等を行う場合、一部の配管の作業をする場合においても建物全体を断水する必要があり、非常に大がかりで煩雑な作業となっていた。
【０００３】
一方、製鉄所等の大型の配管を補修する場合等には、従来から通水状態で工事を行う不断水工法と呼ばれる工法が用いられてきた（例えば、特許文献１参照。）。
【先行技術文献】
【特許文献】
【０００４】
【特許文献１】特開２００３−１５６１８９号公報
【発明の概要】
【発明が解決しようとする課題】
【０００５】
しかしながら、従来の不断水工法は、上記のように製鉄所のようなプラントの配管を補修等する場合に用いられるものであり、通常の建物等の配管の補修は、このような大規模な工事とは全く異なるものである。したがって、当然に、従来の不断水工法を、通常の建物等の狭い空間に配置された口径の小さな配管の補修等に適用することはできず、このような大がかりな不断水工法を、建物に既設された配管に適用しようとする発想は全くなかった。
【０００６】
本発明の課題は、口径の小さな配管に対応したコンパクトなものであり、かつ容易に使用することができる配管遮断装置及びかかる配管遮断装置を用いた配管遮断方法を提供することにある。
【課題を解決するための手段】
【０００７】
本発明者は、建物の配管の補修等において、建物全体を断水しなければならないという不便さを解消すべく鋭意検討した結果、コンパクトな配管遮断装置を用いることにより、建物全体を断水することなく、簡易に配管の修復等を行うことができることを見いだし、本発明を完成するに至った。
【０００８】
すなわち、本発明は、以下のとおりのものである。
［１］配管を切断する切断手段と、配管切断部に装着される遮断手段と、配管に固定され、前記切断手段による配管の切断及び前記遮断手段の装着を密閉状態で行うことを可能とする密閉手段とを備えた、配管内の流れを一時的又は永続的に遮断する配管遮断装置であって、
前記切断手段は、その先端に設けられた切断部材と、該切断部材を密閉手段入口から挿入して配管まで到達させる切断部材進退機構と、密閉手段に固定するための係止部とを具備し、
前記遮断手段は、その先端に設けられた配管遮断部材と、該配管遮断部材を密閉手段入口から配管まで到達させる遮断部材進退機構と、密閉手段に固定するための係止部とを具備し、
前記密閉手段は、配管を包囲して配管に固定される台座と、該台座と連通して配管側壁に対して垂直に設けられ、前記切断手段及び遮断手段の係止部に対応した係止部を有するボール弁ケースと、該ボール弁ケース内に収容され、前記切断手段の切断部材及び遮断手段の配管遮断部材を挿通可能な貫通口を有するボール弁を具備する
ことを特徴とする配管遮断装置。
［２］遮断手段は、弁用開口を有する弁ケースと、該弁ケースに収容された弁とを備えたバルブ手段であることを特徴とする［１］記載の配管遮断装置。
［３］弁ケースは、遮断手段の進退方向に垂直な面を有する遮断壁を備え、該垂直な面に弁用開口が設けられていることを特徴とする［２］記載の配管遮断装置。
［４］切断手段の切断部材は、周縁刃及び穿孔ドリルを具備することを特徴とする［１］〜［３］のいずれか記載の配管遮断装置。
［５］［１］〜［４］のいずれか記載の配管遮断装置を用いた配管遮断方法であって、
配管に密閉手段を取り付ける第１工程と、
切断手段により配管の一部を切断する第２工程と、
遮断手段の配管遮断部材を配管切断部に挿入して配管内の流れを遮断する第３工程と、
を有することを特徴とする配管遮断方法。
［６］第２工程が、切断手段を密閉手段に固定し、ボール弁を開放した状態で、切断部材進退機構により切断部材をボール弁の貫通口を通して配管に到達させて配管を切断した後、切断された配管と共に切断部材を後退させ、切断手段の一部で密閉手段入口を塞ぎ、この状態で、ボール弁を回転させて閉口状態とした後、切断手段を密閉手段から取り除くことを特徴とする［５］記載の配管遮断方法。
［７］第３工程が、遮断手段を密閉手段に固定し、遮断手段の一部で密閉手段入口を塞いだ状態でボール弁を開放し、遮断部材進退機構により配管遮断部材を密閉手段のボール弁の貫通口を通して配管切断部に到達させて配置し、配管内の流れを遮断することを特徴とする［５］又は［６］記載の配管遮断方法。
【発明の効果】
【０００９】
本発明の配管遮断装置は、口径の小さな配管に対応したコンパクトなものであり、かつ容易に使用することができることから、これを用いることにより、配管の補修等を短時間で簡易に行うことができる。
【図面の簡単な説明】
【００１０】
【図１】本発明の一実施形態に係る配管遮断装置の概略図である。
【図２】本発明の一実施形態に係る切断手段の説明図である。
【図３】本発明の一実施形態に係る切断手段の説明図である。
【図４】本発明の一実施形態に係る遮断手段の説明図である。
【図５】本発明の一実施形態に係る遮断手段の説明図である。
【図６】本発明の一実施形態に係る遮断手段における弁ケースの説明図であり、平面図、左右側面図及び正面断面図を示す。
【図７】本発明の一実施形態に係る密閉手段の説明図である。
【図８】本発明の一実施形態に係る配管遮断装置を用いて配管内の通水を遮断する方法（第１工程）の説明図である。
【図９】本発明の一実施形態に係る配管遮断装置を用いて配管内の通水を遮断する方法（第２工程）の説明図である。
【図１０】本発明の一実施形態に係る配管遮断装置を用いて配管内の通水を遮断する方法（第３工程）の説明図である。
【発明を実施するための形態】
【００１１】
本発明の配管遮断装置は、配管内の流れを一時的又は永続的に遮断する装置であって、配管を切断する切断手段と、配管切断部に装着される遮断手段と、配管に固定され、前記切断手段による配管の切断及び前記遮断手段の装着を密閉状態で行うことを可能とする密閉手段とを備えている。なお、切断手段と遮断手段の一部の部材は、共通の部材とすることができる。
【００１２】
本発明の配管遮断装置における切断手段は、その先端に設けられた切断部材と、該切断部材を密閉手段入口から挿入して配管まで到達させる切断部材進退機構と、密閉手段に固定するための係止部とを具備している。
【００１３】
切断部材としては、配管の側方から配管全体を切断できるものであればその形状、機構等特に制限されるものではなく、切断された配管を切断部材と共に取り除ける構造のものが好ましい。このような好ましい構造の切断部材としては、例えば、周縁刃及び穿孔ドリルの組合せを挙げることができる。穿孔ドリルは、例えば、周縁刃の内部（中央部）に設けられており、周縁刃の切断と共に又は切断の前後に、切断配管の側面に穿通して、配管及び切断部材を接合させ、切断配管を取り除くことを可能とする。また、切断部材の外形としては、切断部材を密閉手段入口に配置した際、密閉状態（密閉に近い状態）が形成できるよう、少なくともその一部が密閉手段入口の内形とほぼ対応していることが好ましい。また、切断部材を密閉手段入口に配置した際、密閉状態（密閉に近い状態）が形成できるよう、切断手段が、切断部材以外の密閉部材を備えていてもよい。
【００１４】
切断部材進退機構としては、切断手段を密閉手段に固定した後、切断部材を前進させて配管に到達させると共に、切断後には元の位置まで後退させることができる機構であって、例えば、ネジ機構を挙げることができる。
【００１５】
密閉手段に固定する係止部は、例えば、密閉手段の入口に設けられた係止部と係合して両者を固定するものであり、ネジ状接合部を挙げることができる。この係止部は、通常、後退限の切断部材近傍の切断手段の先部に設けられている。
【００１６】
遮断手段は、その先端に設けられた配管遮断部材と、該配管遮断部材を密閉手段入口から配管まで到達させる遮断部材進退機構と、密閉手段に固定するための係止部とを具備している。
【００１７】
配管遮断部材は、配管切断部に挿入されて配管の流れを遮断するものであり、遮断部材進退機構により前進及び後退が可能となっている。配管遮断部材としては、配管内の流体の流れを遮断可能な遮断壁を有していれば特に制限されるものではないが、一時的に遮断する（流体の流れを再開する）ことができるよう、弁用開口を有する弁ケースと、該弁ケースに収容された弁とを備えたバルブ手段であることが好ましい。
【００１８】
この弁ケースは、遮断手段の進退方向に垂直な面を有する遮断壁を備え、該垂直な面に弁用開口が設けられていることが好ましい。すなわち、遮断手段は、配管の側方から垂直に挿入されるが、その挿入方向に対して垂直な、弁用開口を有する垂直面を有する遮断壁を有していることが好ましい。これにより、弁を遮断手段と同一方向に進退させて弁を開閉することが可能となり、コンパクトな設計とすることができる。具体的には、遮断壁は、弁ケースの一側（例えば上側）から中央まで延びる遮断面と、弁ケースの他側（例えば下側）から中央まで延びる遮断面との間に連続して、弁用開口を有する上記垂直面が設けられている構成を挙げることができ、一般にグローブバルブと呼ばれる構造のものである。このような弁ケースにおいては、弁開放状態では、流体がＳ字状に流れる。弁は、弁ケース内で弁進退機構等の弁開閉機構により、弁用開口を閉塞及び開放する。弁進退機構としては、例えば、ネジ機構を挙げることができ、遮断部材進退機構と共通とすることができる。
【００１９】
また、配管遮断部材の外形としては、配管遮断部材を密閉手段入口に配置した際、密閉状態（密閉に近い状態）が形成できるよう、少なくとも一部が密閉手段入口の内形とほぼ対応していることが好ましい。また、配管遮断部材を密閉手段入口に配置した際、密閉状態（密閉に近い状態）が形成できるよう、遮断手段が、配管遮断部材以外の密閉部材を備えていてもよい。
【００２０】
遮断部材進退機構としては、遮断手段を密閉手段と係合させた後、配管遮断部材を前進させて配管切断部に挿入することができる機構であって、例えば、ネジ機構を挙げることができる。
【００２１】
密閉手段に固定する係止部は、例えば、密閉手段の入口に設けられた係止部と係合して両者を固定するものであり、ネジ状接合部を挙げることができる。この係止部は、通常、後退限の遮断部材近傍の遮断手段の先部に設けられている。
【００２２】
密閉手段は、配管を包囲して配管に固定される台座と、該台座と連通して配管側壁に対して垂直に設けられ、前記切断手段及び遮断手段の係止部に対応した係止部を有するボール弁ケースと、該ボール弁ケース内に収容され、前記切断手段の切断部材及び遮断手段の配管遮断部材を挿通可能な貫通口を有するボール弁を具備している。
【００２３】
この密閉手段は、切断手段の切断部材及び遮断手段の配管遮断部材を挿通する際には、台座及びボール弁ケースの連通部とボール弁の貫通口とが連通する開放状態となり、密閉する際には、ボール弁を回転させて台座及びボール弁ケースの連通部を閉塞する閉口状態となる。なお、本発明の密閉手段は、少なくとも遮断手段を配管切断部に配置した後に本発明の配管遮断装置から水が漏洩しない手段をいい、切断部材における切断、切断部材の取外し、切断部材又は配管遮断部材の挿通等の作業時に多少の水漏れが生じることは許容される。
【００２４】
台座は、配管を包囲して、配管の切断後も水が漏洩しないように密閉構造を形成するものであり、ボルト・ナット等の固定手段により配管に固定される。ボール弁ケースは、ボール弁を収容することができればその形状等は特に制限されず、例えば、カップ状のケースを挙げることができる。ボール弁ケースに設けられた係止部としては、ボール弁ケースの入口（後端）に設けられたネジ状接合部を挙げることができる。なお、台座とボール弁ケースは、別体で構成されたものであってもよいし、一体で構成されていてもよい。
【００２５】
本発明の配管遮断装置は、マンション、アパート、戸建て住宅、ビル、学校、施設等の日常生活で使用する建物に既設された配管の補修、管路の変更や、不要になった配管の取外し等において使用することができる。本発明の配管遮断装置で遮断する配管の大きさとしては、プラントに配設された配管のような大径のものではなく、小型のものであり、例えば、外径が１０〜１００ｍｍであることが好ましく、１０〜５０ｍｍであることがより好ましい。建物等の口径の小さな配管は、狭い空間に配置される等、条件の悪い場所であることが多いが、本発明の配管遮断装置は、コンパクトであり、操作性もよいため好適に用いることができる。
【００２６】
本発明の配管遮断方法は、上記配管遮断装置を用いる方法であり、配管に密閉手段を取り付ける第１工程と、切断手段により配管の一部を切断する第２工程と、遮断手段の配管遮断部材を配管切断部に挿入して配管内の流れを遮断する第３工程と、を有する。
【００２７】
第１工程は、配管に密閉手段を密閉状態で取り付けることができれば特に制限されるものではなく、例えば、より密閉性が増すよう配管に凹みをつける前処理を行うことが好ましい。
【００２８】
第２工程は、具体的に、例えば、互いの係止部を係合して切断手段を密閉手段に固定し、ボール弁を開放した状態で、切断部材進退機構により切断部材をボール弁の貫通口を通して配管に到達させて配管を切断した後、切断された配管と共に切断部材を後退させ、切断部材等の切断手段の一部で密閉手段入口を塞ぎ、この状態で、ボール弁を回転させて閉口状態とした後、切断手段を密閉手段から取り除く。
【００２９】
第３工程は、具体的に、例えば、互いの係止部を係合して遮断手段を密閉手段に固定し、配管遮断部材等の遮断手段の一部で密閉手段入口を塞いだ状態でボール弁を開放し、遮断部材進退機構により配管遮断部材を密閉手段のボール弁の貫通口を通して配管切断部に到達させて配置し、配管内の流れを遮断する。
【００３０】
このような一連の操作により配管内の流れを遮断した後、遮断部より下流の配管の補修や分岐、取り外しなどを行う。これにより、従来行われていた建物全体の断水といった大がかりな作業を行うことなく、配管の補修等を行うことができる。
配管の補修や分岐後は、遮断手段（非バルブ手段，バルブ手段）を配管から取り外して密閉手段のボール弁により密閉状態にして通常通りの配管として使用することもできるが、遮断手段がバルブ手段である場合は、遮断手段を取り外すことなく、弁を開放して通常通りの配管として使用することができる。
また、不要な配管の取り外し後は、遮断手段（非バルブ手段，バルブ手段）を取り外すことなく、配管の流れを遮断した状態を保持することができる。
【００３１】
以下、図面を参照しつつ、本発明をより具体的に説明するが、本発明はこれらの構成に限定されるものではない。ここで、図１は、本発明の一実施形態に係る配管遮断装置の概略図である。図２及び図３は、本発明の一実施形態に係る切断手段の説明図である。図４及び図５は、本発明の一実施形態に係る遮断手段の説明図である。図６は、本発明の一実施形態に係る遮断手段における弁ケースの説明図である。図７は、本発明の一実施形態に係る密閉手段の説明図である。
【００３２】
図１に示すように、本発明の一実施形態に係る配管遮断装置１０は、配管を切断する切断手段１２と、配管切断部に装着される遮断手段１４と、配管に固定され、切断手段１２による配管の切断及び遮断手段１４の装着を密閉状態で行うことを可能とする密閉手段１６とを備えている。
【００３３】
以下、各手段について説明する。
【００３４】
図２及び図３に示すように、切断手段１２は、その先端に設けられた切断部材（切断刃）１８と、切断部材１８に取り付けられた軸２０と、軸２０に係合する軸ガイド部材２２と、軸ガイド部材２２を覆うケーシング２４と、キャップ２６と、ハンドル２８とが組み合わされて構成されており、ケーシング２４の下端に、密閉手段１６に固定するためのネジ状接合部（係止部）３０が設けられている。
【００３５】
切断部材１８は、先端側（図面上、下側）からみてリング状（円状）の周縁刃、及びその中央部に設けられた穿孔ドリルを具備している。この切断部材１８には、外周面に雄ネジが形成された軸２０が取り付けられている。軸ガイド部材２２は、筒状部３２及び棒状部３４を有し、筒状部３２は、内部に軸２０の雄ネジと係合する雌ネジが形成され、軸２０を内部に収容可能となっている。本実施形態においては、軸２０と軸ガイド部材２２により、切断部材１８を密閉手段１６入口から挿入して配管まで到達させる切断部材進退機構が構成されている。
【００３６】
軸ガイド部材２２の筒状部３２と反対側（後端）の棒状部３４には、ハンドル２８が固定され、このハンドル２８を回動させることにより、軸ガイド部材２２を回動させ、切断部材１８を進退させる。
【００３７】
ケーシング２４は、筒状体であって、その先端に、密閉手段１６に固定するための雌ネジが形成されたネジ状接合部（係止部）３０を備えている。キャップ２６は、ケーシング２４の後端に取り付けられ、軸ガイド部材２２の棒状部３４を支持する。
【００３８】
また、図４及び図５に示すように、遮断手段１４は、その先端に設けられた弁ケース３６、弁３８、及び弁押え金具４０からなる配管遮断部材４１と、弁ケース３６内の弁３８に取り付けられる軸４２と、軸４２に係合する軸ガイド部材４４と、軸ガイド部材４４を覆うケーシング４６と、キャップ４８と、ハンドル５０とが組み合わされて構成されており、ケーシング４６の下端に、密閉手段１６と固定するためのネジ状接合部（係止部）５２が設けられている。
【００３９】
図６に示すように、弁ケース３６には、弁ケース３６の上側から中央まで延びる遮断面５６ａと、弁ケース３６の下側から中央まで延びる遮断面５６ｂとの間に連続して、弁用開口５８を有する遮断面（弁ケース３６の挿入方向に垂直な面）５６ｃが設けられている。これら遮断面５６ａ、遮断面５６ｂ、及び遮断面５６ｃによって遮断壁５４が構成されている。したがって、この弁ケース３６においては、弁用開口５８を開放した際には、水はＳ字状に流れる。
【００４０】
図５に示すように、弁ケース３６の直上には、弁押え金具４０が設けられている。弁押え金具４０は、密閉手段入口８６、及びこれに続く連通口８２（図１０参照）の内形に対応した円盤形状となっており、密閉手段入口８６及び連通口８２において密閉構造を形成する。すなわち、遮断手段１４の密閉手段１６からの挿入出の際、配管遮断部材４１の一部である弁押え金具４０により、密閉状態を形成することが可能となる。また、配管遮断部材４１が配管切断部に到達した際、この弁押え金具４０により配管切断部が密閉される。なお、弁ケース３６及び弁押え金具４０には、密閉手段１６との密着性を保持できるよう弾性シール材が設けられている。
【００４１】
また、弁ケース３６内には、弁ケース３６の弁用開口５８を開閉可能な弁３８が設けられている。弁３８には、外周面に雄ネジが形成された軸４２が取り付けられている。軸ガイド部材４４は、筒状部６０及び棒状部６２を有し、筒状部６０は、内部に軸４２の雄ネジと係合する雌ネジが形成され、軸４２を内部に収容可能となっている。本実施形態においては、軸４２と軸ガイド部材４４により、配管遮断部材４１を密閉手段１６入口から挿入して配管まで到達させる遮断部材進退機構が構成されている。なお、配管遮断部材４１が、配管切断部に固定された後は、この軸４２と軸ガイド部材４４が、弁進退機構として機能する。
【００４２】
軸ガイド部材４４の筒状部６０と反対側（後端）には、ハンドル５０が固定され、このハンドル５０を回動させることにより、軸ガイド部材４４を回動させ、配管遮断部材４１を進退させる。また、上記のように、配管遮断部材４１が、配管切断部に挿入された後は、ハンドル５０の回動により、弁３８が進退可能となる。
【００４３】
ケーシング４６は、筒状体であって、その先端に、密閉手段１６に固定するための雌ネジが形成されたネジ接合部（係止部）５２を備えている。キャップ４８は、ケーシング４６の後端に取り付けられ、軸ガイド部材４４の棒状部６２を支持する。
【００４４】
また、図７に示すように、密閉手段１６は、配管を包囲して配管に固定される台座６４と、台座６４と連通して配管側壁に対して垂直に立設されたボール弁ケース本体６６と、ケースキャップ６８と、ボール弁ケース本体６６内に収容されたボール弁７０と、ボール弁７０を回転させるレバー７４とを組み合わせて構成されており、ケースキャップ６８の上端に、切断手段１２及び遮断手段１４のネジ状接合部（係止部）３０、５２に対応したネジ状接合部（係止部）７６が設けられている。
【００４５】
台座６４は、上下から挟み込むように配管８８に取り付けられ、固定金具７８で固定される。台座６４の内面には、密着性を保持できるよう弾性シール材が設けられている。ボール弁ケース本体６６は、台座６４に連通口８２を介して、配管の側方から突出した状態で設けられた、内部にボール弁７０を収容できるカップ状のケースである。ボール弁ケース本体６６の側部には、レバー７４を挿通する挿通口８４が設けられている。
【００４６】
ケースキャップ６８は、ボール弁ケース本体６６にボール弁７０を収容した状態で、ボール弁ケース本体６６に取り付けられる。ケースキャップ６８には、切断手段１２の切断部材１８及び遮断手段１４の配管遮断部材４１を挿入可能な開口（入口）８６が形成されており、切断部材１８又は配管遮断部材４１を密閉手段入口８６に配置した際、密閉状態（密閉に近い状態）が形成できるようになっている。
【００４７】
ボール弁７０は、切断手段１２の切断部材１８及び遮断手段１４の配管遮断部材４１を挿通可能な貫通口７２を有する。切断手段１２の切断部材１８及び遮断手段１４の配管遮断部材４１を挿通する際には、台座６４及びボール弁ケース本体６６の連通口８２とボール弁７０の貫通口７２とが連通する方向とし、密閉する際には、ボール弁７０を９０度回転させて台座６４及びボール弁ケース本体６６の連通口８２を閉塞する閉口状態とする。
【００４８】
続いて、図８〜１０を用いて、上記のような配管遮断装置１０を用いて配管内の通水を遮断する方法を説明する。
【００４９】
図８に示すように、まず、流れを遮断したい部分の配管８８に密閉手段１６を取り付ける（第１工程）。具体的には、台座６４を配管８８に取り付けるが、この際、配管８８に凹みをつけて、密閉手段１６の台座６４との接合性を高めることができる。
【００５０】
続いて、図９に示すように、切断手段１２により配管８８を切断する（第２工程）。
具体的には、まず、切断手段１２のネジ状接合部（係止部）３０と、密閉手段１６のネジ状接合部（係止部）７６を係止して両者を固定する（図９（ａ）（ｂ））。続いて、レバー７４によりボール弁７０を９０度回転させ開口状態とし、ハンドル２８を回転させて、切断部材１８を前進させる。切断部材１８は、ボール弁７０の貫通口７２内を通過し、配管側壁に到達する。さらに、ハンドル２８を回転させることにより、切断部材１８で配管８８を切断する（図９（ｃ））。配管８８を切断した後、ハンドル２８を逆方向に回転させて、切断部材１８を後退させる。切断部材１８は、ボール弁７０の貫通口７２内を通過し、後退限まで後退する。このとき、切断部材１８が密閉手段１６の入口８６を塞いで密閉状態（密閉状態に近い状態）が形成される。この状態で、ボール弁７０を回転させて、台座６４とボール弁ケース本体６６の連通口８２を閉塞する（図９（ｄ））。閉口状態とした後、切断手段１２を密閉手段１６から取り除く。
【００５１】
続いて、図１０に示すように、遮断手段１４により、配管８８の切断部に配管遮断部材４１を挿入して配管内の流れを遮断する（第３工程）。
具体的には、まず、遮断手段１４のネジ状接合部（係止部）５２と、密閉手段１６のネジ状接合部（係止部）７６を係合して両者を固定する（図１０（ａ）（ｂ））。このとき、弁押え金具４０で密閉手段１６の入口８６を閉塞し、密閉状態（密閉状態に近い状態）が形成される。この状態で、ボール弁７０を９０度回転させて弁を開放し、ハンドル５０を回転させて、配管遮断部材４１を前進させる。配管遮断部材４１は、ボール弁７０の貫通口７２内を通過し、配管切断部に到達する（図１０（ｃ））。弁押え金具４０等により、配管切断部に密閉遮断構造が形成され、配管８８の流れを遮断する。
【産業上の利用可能性】
【００５２】
本発明の配管遮断装置は、配管内の流れを一時的又は永続的に遮断することができ、産業上有用である。
【符号の説明】
【００５３】
１０    配管遮断装置
１２    切断手段
１４    遮断手段
１６    密閉手段
１８    切断部材
２０    軸
２２    軸ガイド部材
２４    ケーシング
２６    キャップ
２８    ハンドル
３０    ネジ状接合部（係止部）
３２    筒状部
３４    棒状部
３６    弁ケース
３８    弁
４０    弁押え金具
４１    配管遮断部材
４２    軸
４４    軸ガイド部材
４６    ケーシング
４８    キャップ
５０    ハンドル
５２    ネジ状接合部（係止部）
５４    遮断壁
５６    遮断面
５８    弁用開口
６０    筒状部
６２    棒状部
６４    台座
６６    ボール弁ケース本体
６８    ケースキャップ
７０    ボール弁
７２    貫通口
７４    レバー
７６    ネジ状接合部（係止部）
７８    固定金具
８２    連通口（連通部）
８４    挿通口
８６    密閉手段入口
８８    配管
【図１】
2018179057.tif 000003
【図２】
2018179057.tif 000004
【図３】
2018179057.tif 000005
【図４】
2018179057.tif 000006
【図５】
2018179057.tif 000007
【図６】
2018179057.tif 000008
【図７】
2018179057.tif 000009
【図８】
2018179057.tif 000010
【図９】
2018179057.tif 000011
【図１０】
2018179057.tif 000012